(57)【要約】【課題】本発明の目的は、２色択一表示のドットを用いて、各色の濃度値が高い多色表示が可能な表示画面を提供することにある。【解決手段】３種以上の２色択一表示ドットを組み合わせてなる表示画面であって、前記２色択一表示ドットの少なくとも３種が、有彩色と前記有彩色の補色とが表示できるドットである表示画面。さらに、ブラック／ホワイトの２色択一表示ドットを含む上記表示画面。有彩色と前記有彩色の補色とが表示できるドットが、レッド／シアン、グリーン／マゼンタ、ブルー／イエローおよび、ブラック／ホワイトの２色択一表示ドットである上記表示画面。【選択図】なし【特許請求の範囲】
【請求項１】
３種以上の２色択一表示ドットを組み合わせてなる表示画面であって、前記２色択一表示ドットの少なくとも３種が、有彩色と前記有彩色の補色とが表示できるドットである表示画面。
【請求項２】
さらに、ブラック／ホワイトの２色択一表示ドットを含む請求項１記載の表示画面。
【請求項３】
有彩色と前記有彩色の補色とが表示できるドットが、レッド／シアン、グリーン／マゼンタ、ブルー／イエローおよび、ブラック／ホワイトの２色択一表示ドットである請求項１または２記載の表示画面。
【請求項４】
４種の２色択一表示ドットを組み合わせてなる表示画面であって、前記２色択一表示ドットが、レッド／シアン、グリーン／マゼンタ、ブルー／イエローおよび、ブラック／ホワイトの２色択一表示ドットである請求項３記載の表示画面。
【発明の詳細な説明】
【０００１】
【発明の属する技術分野】
本発明は、反射型デジタル表示画面に関する。さらに、詳しくは、電気泳動表示・磁気泳動表示・ツイストボール表示などに代表される、２色を択一表示できるドットの集合体で多色を表現する画面に関する。
【０００２】
【従来の技術】
多色表示のできるデジタル表示デバイスとしては、ブラウン管ディスプレイ、プラズマディスプレイ、エレクトロルミネッセンスなどに代表される自己発光型のデバイスが多かった。また、液晶ディスプレイは自己発光こそしないものの、反射型表示デバイスとして考えると偏光フィルターやカラーフィルターを使うために原理的に入射光の一部しか反射できず結果として暗くてコントラスト比が低くなり、細かな文字や画像を表示するには不足する光量を補う目的でバックライトを使用することが一般的である。これらのデジタル表示デバイスは発光するためにエネルギーを必要とし、更にある時点での表示内容を表示し続けるためにもエネルギーが必要である。ところが近年の携帯電話やＰＤＡ、ノート型パソコンをはじめとする携帯型情報端末の急激な普及により、バッテリー駆動時間を延ばすためエネルギー消費量が少なく、かつ薄型な表示デバイスが強く望まれている。この要望を満たすデバイスの一例として電気泳動表示デバイス（特許文献１参照）がある。電気泳動表示デバイスは自己発光しない反射型表示デバイスの一種であり、２色択一表示の素子よりなるドットが重なることなく独立して並置されている。
【０００３】
【特許文献１】米国特許３６１２７５８号明細書
【０００４】
【発明が解決しようとする課題】
自己発光しない反射型のフルカラー表示方法としてはオフセットなどの印刷が一般的であり、減法混色の３色と黒を加えた４色、つまりシアン、マゼンタ、イエロー、ブラックの４色を印刷では基本的な色の組合わせとして用いている。実際には白色であることが多い被印刷体の地色と、上記４色との掛け合わせでフルカラーを表現している。一方、ブラウン管ディスプレイのような発光型のフルカラー表示方法では、加法混色の３色、つまりレッド、グリーン、ブルーを用いる。実際には加法混色の３色を全てＯＦＦにした実質的な黒色と、上記３色との掛け合わせでフルカラーを表現している。
【０００５】
２色択一表示のドットを用いて多色を表現しようとすると、複数種類の２色択一表示ドットが必要で、通常は反射型デバイスという観点から、印刷と同じ色の組合わせを用いる事が多かった。つまり、シアンと紙の地色に相当する白色、同様にマゼンタと白色、イエローと白色、ブラックと白色の４種類の２色択一表示ドットを用いる事が多い。
【０００６】
この場合、４種類のドットを１個ずつ集めた物がカラー表示の最小単位、つまりピクセルとなる。１ピクセルでの表示を考えた場合、例えばマゼンタを表示するには、４種類のドットのうち１種はマゼンタを、他の３個は白色を表示することになる。このことは、彩度が低く白っぽいマゼンタ表示しか得られないことを意味している。シアン、イエロー、ブラックの場合も同様である。また、一番暗い色を表示する場合は、１ピクセルの各ドットはシアン、マゼンタ、イエロー、ブラックを表示することになるが、印刷のようにブラックインキのみで表現するのと比べて明るい黒になってしまう。
【０００７】
以上のことから判るように、２色択一表示のドットを用いて多色を表現する場合に印刷と同じ色の組合わせを用いると、黒表現は明るく、色表現は白っぽくなるという問題があった。つまりコントラスト比が低い表示画面しか得られない。表示媒体から人間が情報を得るには、文字からと画像からとに大別されるが、画像を人間が認識する場合、色彩表現が重要な位置を占めている。
【０００８】
ところが既に述べたように従来一般的であった減法混色の色の組合わせであるシアン／ホワイト、マゼンタ／ホワイト、イエロー／ホワイト、ブラック／ホワイト４種の２色択一表示ドットによる表示では、白っぽく淡い色しか表現できなかった。例えるならば、このことは湯気で曇った眼鏡を通して見ているような画像しか表示できないことを意味しており、人間には見づらい画像となる。
【０００９】
本発明の目的は、２色択一表示のドットを用いて、各色の濃度値が高い多色表示が可能な表示画面を提供することにある。
【００１０】
【課題を解決するための手段】
本発明は、３種以上の２色択一表示ドットを組み合わせてなる表示画面であって、前記２色択一表示ドットの少なくとも３種が、有彩色と前記有彩色の補色とが表示できるドットである表示画面に関する。
【００１１】
また、本発明は、さらに、ブラック／ホワイトの２色択一表示ドットを含む上記表示画面に関する。
【００１２】
また、本発明は、有彩色と前記有彩色の補色とが表示できるドットが、レッド／シアン、グリーン／マゼンタ、ブルー／イエローおよび、ブラック／ホワイトの２色択一表示ドットである上記表示画面に関する。
【００１３】
また、本発明は、４種の２色択一表示ドットを組み合わせてなる表示画面であって、前記２色択一表示ドットが、レッド／シアン、グリーン／マゼンタ、ブルー／イエローおよび、ブラック／ホワイトの２色択一表示ドットである上記表示画面に関する。
【００１４】
【発明の実施の形態】
本発明で用いられる２色択一表示ドットは、公知の電気泳動表示・磁気泳動表示・ツイストボールなど表示で用いられる表示ドットをそのまま用いることができる。
【００１５】
本発明は、濃度値の高い表示画面を与えるために、有彩色／無彩色の表示ドットよりも、（有彩色）／（前記有彩色の補色）の表示ドットを用いることを特徴とする。
また、このような（有彩色）／（前記有彩色の補色）の表示ドットを３種以上用いることによって、表現できる色の範囲が格段に向上させることができる。
また、必要に応じて、これらの（有彩色）／（前記有彩色の補色）の表示ドットに加えて、ブラック／ホワイトの表示ドットを併用することもできる。
【００１６】
これらは表示できる色で区別されるものであって、素子自体の大きさや形状が異なってもよい。また、大きさや形状の変化に伴って色目が本発明の効果を損なわない範囲で変化していてもよい。また、素子の数も、種類によって数の多少が生じていても構わない。また、表示ドットの配列には、いかなる配列でもよい。
【００１７】
本発明で好ましく用いられる表示ドットの種類は、レッド／シアン、グリーン／マゼンタ、ブルー／イエローおよび、ブラック／ホワイトの４種類である。この４種の表示ドットを用いることにより、高い濃度値だけでなく、高いコントラスト比を与えることが可能となり、視認性が向上する。
【００１８】
本発明の効果を評価するため、          比較例１として一般的な減法混色の色の組合わせであるシアン／ホワイト、マゼンタ／ホワイト、イエロー／ホワイト、ブラック／ホワイト４種の２色択一表示ドットによる表示と、本発明の色の組合わせであるレッド／シアン、グリーン／マゼンタ、ブルー／イエローおよび、ブラック／ホワイトの４種の２色択一表示ドットによる表示の実験を行なった。
【００１９】
当該実験では、オフセット印刷の校正に使用される市販の校正機（コニカグラフィックイメージング社  デジタルコンセンサスプロ）を用いて画面表示をシミュレートした。本発明は、画像表示手段によらないため、このシミュレーションにおいても、本発明の効果を確認することができる。
【００２０】
校正機で画面表示をシミュレートできるように、校正機の複数ピクセルで表示画面の１ドットに対応するような画像を作成した。使用した校正機の出力解像度は２４００ｄｐｉであり、約４２μｍ四方のドットを再現できた。４種類の２色択一表示ドットが各１個づつで１ピクセルを構成し、その配列は１辺が２ドットの正方配列とした。
各実験において、１ピクセルで表示可能な１６色を表示し、それらを測色機で測定して、最も明るい色と、最も暗い色の明度からコントラスト比を求めた。更に比較例１の色の組合わせでのコントラスト比を１として、本発明のコントラスト比の比率を計算し、これをコントラスト倍率とした。
また、濃度に関しては濃度計で得られた値から、比較例１の濃度値を１とした本発明の濃度の比率を計算し、これを濃度倍率とした。
【００２１】
実験結果を表１に示す。
本発明の色の組合わせであるレッド／シアン、グリーン／マゼンタ、ブルー／イエローおよび、ブラック／ホワイトのコントラスト倍率は１．２となり、比較例１よりも高いコントラスト比が得られた。
【００２２】
また、各色の濃度に関しては、最低でもブラックの１．５、平均すると２．８以上の濃度倍率となり、良好な結果が得られた。このことから従来一般的な比較例１の組合わせであるシアン／ホワイト、マゼンタ／ホワイト、イエロー／ホワイト、ブラック／ホワイトと比べ、それぞれの比較項目において、本発明は全て良好な結果が得られた。
【００２３】
【表１】
2004264411.tif 000002
【００２４】
【発明の効果】
以上述べたように、一般的な減法混色の色の組合わせである、シアン／ホワイト、マゼンタ／ホワイト、イエロー／ホワイト、ブラック／ホワイトによる表示よりも、本発明の色の組合わせであるレッド／シアン、グリーン／マゼンタ、ブルー／イエローおよび、ブラック／ホワイトの４種の２色択一表示ドットを採用することにより、コントラスト比を高めるだけでなく、何よりも各色の濃度を上げることができ、視認性の良好な多色表示ができる表示画面を構成することが可能となった。